(57)【要約】【課題】  液晶装置等の電気光学装置において、例えば画像信号をサンプリングするための時間及びプリチャージするための時間を確保し易く、適切にプリチャージを行うことで、高品質な画像表示を行うことを可能とする。【解決手段】  電気光学装置は、複数の走査線及び複数のデータ線と、複数の画素部と、有効水平走査期間内において少なくとも１本のデータ線を含む第ｉ（但し、ｉは自然数）番目のデータ線群に対して割り当てられる第ｉ番目の画像信号供給期間に、画像信号を第ｉ番目のデータ線群に含まれるデータ線に対して供給し、第ｉ番目の画像信号供給期間に先行すると共に第ｉ−１番目の画像信号供給期間よりも後に、所定電位のプリチャージ信号を第ｉ番目のデータ線群に対して供給する画像信号供給部とを備える。【選択図】  図６
2006267356.tif 000002
【特許請求の範囲】
【請求項１】
相交差する複数の走査線及び複数のデータ線と、
前記走査線及び前記データ線の交差に対応して配列された複数の画素部と、
有効水平走査期間内において少なくとも１本のデータ線を含む第ｉ（但し、ｉは自然数）番目のデータ線群に対して割り当てられる第ｉ番目の画像信号供給期間に、画像信号を前記第ｉ番目のデータ線群に含まれるデータ線に対して供給し、前記第ｉ番目の画像信号供給期間に先行すると共に第ｉ−１番目の画像信号供給期間よりも後に、所定電位のプリチャージ信号を第ｉ番目のデータ線群に対して供給する画像信号供給部と
を備えたことを特徴とする電気光学装置。
【請求項２】
前記画像信号供給部は、前記第ｉ番目のデータ線群に含まれるデータ線の数に対応する数の画像信号線を介して供給される前記画像信号をサンプリングして前記第ｉ番目のデータ線群に対して供給し、前記画像信号線を介して供給される前記プリチャージ信号をサンプリングして前記第ｉ番目のデータ線群に対して供給するサンプリング回路を有することを特徴とする請求項１に記載の電気光学装置。
【請求項３】
前記画像信号供給部は、前記サンプリング回路が前記画像信号をサンプリングする際の基準となるサンプリングパルスの元になる転送パルスの幅よりも狭いパルス幅を持つと共にイネーブル信号供給線を介して供給されるイネーブル信号と、前記転送パルスとに基づいて前記サンプリングパルスを出力するイネーブル回路を有し、
前記イネーブル回路は、前記イネーブル信号供給線を介して前記イネーブル信号と相前後して、前記プリチャージ信号が供給されるべきプリチャージ期間を規定するプリチャージ期間規定信号が供給されると、該供給されたプリチャージ期間規定信号を、前記プリチャージ信号をサンプリングさせるために、前記サンプリング回路に供給することを特徴とする請求項２に記載の電気光学装置。
【請求項４】
前記データ線群は、前記少なくとも１本のデータ線としてＮ（但し、Ｎは２以上の自然数）本のデータ線を含み、
前記複数のデータ線を前記データ線群毎に駆動するために、前記画像信号としてＮ個のシリアル−パラレル変換された第ｉ画像信号群が供給されると共に、該第ｉ画像信号群に先行して、前記プリチャージ信号として前記所定電位の第ｉプリチャージ信号群が一括して供給されるＮ本の画像信号線を更に含み、
前記画像信号供給部は、前記Ｎ本の画像信号線を介して夫々供給される前記第ｉ画像信号群を第ｉ画像信号供給期間に前記第ｉ番目のデータ線群に供給すると共に、前記Ｎ本の画像信号線を介して一括に供給される前記第ｉプリチャージ信号群を前記第ｉ画像信号供給期間に先行する期間に前記第ｉ番目のデータ線群に供給することを特徴とする請求項１から３のいずれか一項に記載の電気光学装置。
【請求項５】
前記プリチャージ信号は、前記所定電位が前記データ線群別に可変に設定されていることを特徴とする請求項１から４のいずれか一項に記載の電気光学装置。
【請求項６】
垂直帰線期間及び水平帰線期間が存在する第１画像信号が所定のフレーム又はフィールド周期で供給されると、前記垂直帰線期間及び前記水平帰線期間のうち少なくとも一方の期間を狭めると共に前記プリチャージ信号が供給されるべきプリチャージ期間以上の期間が前記第ｉ−１番目の画像信号供給期間及び前記第ｉ番目の画像信号供給期間の間に存在するように、前記画像信号を生成して前記画像信号供給部に供給するラインバッファを更に備えたことを特徴とする請求項１から５のいずれか一項に記載の電気光学装置。
【請求項７】
前記プリチャージ期間に対応するように前記プリチャージ信号を生成し、前記画像信号と共に画像信号線を介して前記画像信号供給部に供給するプリチャージ信号生成部を更に備えたことを特徴とする請求項６に記載の電気光学装置。
【請求項８】
請求項１から５のいずれか一項に記載の電気光学装置に対して、前記画像信号及び前記プリチャージ信号を供給する画像信号処理回路であって、
垂直帰線期間及び水平帰線期間が存在する第１画像信号が所定のフレーム又はフィールド周期で供給されると、前記垂直帰線期間及び前記水平帰線期間のうち少なくとも一方の期間を狭めると共に前記プリチャージ信号が供給されるべきプリチャージ期間以上の期間が前記第ｉ−１番目の画像信号供給期間及び前記第ｉ番目の画像信号供給期間の間に存在するように、前記画像信号を生成して前記画像信号供給部に供給する画像信号生成部と、
前記プリチャージ期間に対応するように前記プリチャージ信号を生成し、前記画像信号と共に画像信号線を介して前記画像信号供給部に供給するプリチャージ信号生成部と
を備えたことを特徴とする画像信号処理回路。
【請求項９】
相交差する複数の走査線及び複数のデータ線と、
前記走査線及び前記データ線の交差に対応して配列され、画像信号が供給される複数の画素部と、
サンプリング信号に基づいて前記画像信号を前記データ線にサンプリングするサンプリング回路と、
プリチャージ信号が挿入された画像信号を出力する画像信号供給部と、
を備え、
前記サンプリング信号は、前記画像信号をサンプリングする期間と当該サンプリングする期間に先行するプリチャージ期間とを規定することを特徴とする電気光学装置。
【請求項１０】
請求項１から９のいずれか一項に記載の電気光学装置を具備してなることを特徴とする電子機器。
【請求項１１】
相交差する複数の走査線及び複数のデータ線と、前記走査線及び前記データ線の交差に対応して配列された複数の画素部とを備えた電気光学装置を駆動するための電気光学装置の駆動方法であって、
同時に画像信号が供給されることになる少なくとも１本のデータ線を含む第ｉ（但し、ｉは自然数）番目のデータ線群に対して割り当てられる第ｉ番目の画像信号供給期間に、前記少なくとも１本に対応する数の画像信号をサンプリングして前記第ｉ番目のデータ線群に対して供給する画像信号供給ステップと、
前記第ｉ番目の画像信号供給期間に先行すると共に第ｉ−１番目の画像信号供給期間よりも後に、所定電位のプリチャージ信号を第ｉ番目のデータ線群に対して供給するプリチャージ信号供給ステップと
を備えたことを特徴とする電気光学装置の駆動方法。
【発明の詳細な説明】
【技術分野】
【０００１】
本発明は、例えば液晶装置等の電気光学装置、及びその駆動方法、そのような電気光学装置に対して画像信号等を供給するための画像信号処理回路、並びにそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。更に、この種の電気光学装置では、大なり小なり配線容量を有するデータ線を介して画素部に画像信号を書き込む際におけるサンプリング回路の書き込み能力を補うことが望まれる。
【０００３】
このため、例えば画像信号の帰線期間中など、画像信号に先行して所定電位のプリチャージ信号を、データ線に書き込むプリチャージが行われるのが一般的である。例えば、特許文献１に開示されているように、画像信号に係る帰線期間にプリチャージ信号をデータ線に書き込む技術が提案されている。
【０００４】
更に、このプリチャージには、例えば特許文献２に開示されているように、画像信号と同一の信号供給経路でプリチャージ信号を供給する、いわゆる「ビデオプリチャージ」方式もある。この場合、伝統的なプリチャージのように、画像信号の信号供給経路とは別に専用の信号供給経路を構築する必要がないので有利であるとされている。
【０００５】
【特許文献１】特開２００４−１０１６４６号公報
【特許文献２】特開平８−３３４７４５号公報
【発明の開示】
【発明が解決しようとする課題】
【０００６】
しかしながら、特許文献１によれば、画像信号に係る帰線期間で一括してプリチャージを行っているが故に、この帰線期間を、画像信号を供給するための期間或いはサンプリング用の期間として利用できない。他方で、帰線期間は、地上波テレビ向けの画像信号等において伝統的に設けられている類のものであり、その期間は、画像信号が実際に供給される或いは画像信号がサンプリングされる期間と比べて無視し得ない程度に長い。このため総合的に見て、限られた時間内に、画像信号のサンプリングを行うための期間とプリチャージを行うための期間とを確保することが困難となる。結局、十分にプリチャージを行うことが困難となり、よって高品質な画像表示を行うことが困難となるという技術的問題点がある。
【０００７】
このような問題点は、特許文献２に開示された如きビデオプリチャージを行う場合にも同様に存在している。
【０００８】
本発明は、上記問題点に鑑み成されたものであり、例えば画像信号をサンプリングするための時間及びプリチャージするための時間を確保し易く、適切にプリチャージを行うことで、高品質な画像表示を行うことが可能な電気光学装置及びその駆動方法、該電気光学装置にプリチャージ信号等を好適に供給可能な画像信号処理回路、並びに該電気光学装置を備えた各種電子機器を提供することを課題とする。
【課題を解決するための手段】
【０００９】
本発明の第１の電気光学装置は上記課題を解決するために、相交差する複数の走査線及び複数のデータ線と、前記走査線及び前記データ線の交差に対応して配列された複数の画素部と、有効水平走査期間内において少なくとも１本のデータ線を含む第ｉ（但し、ｉは自然数）番目のデータ線群に対して割り当てられる第ｉ番目の画像信号供給期間に、画像信号を前記第ｉ番目のデータ線群に含まれるデータ線に対して供給し、前記第ｉ番目の画像信号供給期間に先行すると共に第ｉ−１番目の画像信号供給期間よりも後に、所定電位のプリチャージ信号を第ｉ番目のデータ線群に対して供給する画像信号供給部とを備える。
【００１０】
本発明の電気光学装置によれば、その駆動時には、例えばシリアル−パラレル変換（即ち、相展開）されたＮ個の画像信号が、Ｎ本の画像信号線に供給され、更に、画像信号供給部へと供給される。Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【００１１】
このような画像信号の供給に応じて、画像信号供給部によって、複数のデータ線には、有効水平走査期間（即ち、画像信号のサンプリングが行われる期間）内において少なくとも１本のデータ線を含むデータ線群毎にＮ個の画像信号が順次供給される。即ち、データ線群毎に画像信号を供給する画像信号供給期間が割り当てられ、第ｉ（但し、ｉは自然数）番目の画像信号供給期間に、第ｉ番目のデータ線群に含まれるデータ線に対してＮ個の画像信号が同時に供給される。画像信号供給部は、例えば、データ線駆動回路及びサンプリング回路から構成され、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が同時に供給される。よって、同一のデータ線群に属するデータ線は同時に駆動されることとなる。尚、サンプリングスイッチは、例えば、片チャネル型のＴＦＴにより夫々構成され、ソースが分岐配線に電気的に接続され、ドレインがデータ線に接続され、ゲートにサンプリング信号が供給されることでオン状態となる。
【００１２】
このようにデータ線が駆動されると、各画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００１３】
画像信号を供給する第ｉ番目の画像信号供給期間に先行すると共に第ｉ−１番目の画像信号供給期間よりも後のプリチャージ期間において、プリチャージが行われる。プリチャージとは、書き込み不足を防止するために、データ線を充電もしくは放電させ、予めデータ線の電位を画像信号電位に近づけるような制御をいう。プリチャージは、プリチャージタイミングに応じて、複数のデータ線に対して一斉に、或いはデータ線毎に行われる。より具体的には、データ書き込み時には、書き込むべきタイミングでデータ線を画像信号線と導通させるが、プリチャージ動作時には、プリチャージされるべきタイミングで画像信号供給部によってデータ線にプリチャージ信号が供給される。
【００１４】
最も単純な場合には、特にプリチャージを行うための仕組みを持たない電気光学装置であっても、走査線を介して供給される走査信号により各画素部が書き込み可能となる第ｉ番目の画像信号供給期間に僅かに先行して且つ第ｉ−１番目の画像信号供給期間に僅かに遅れて、第ｉ番目のデータ線群にプリチャージ信号を書き込むようにすることも可能である。この場合には、順次供給される走査信号間の間隔を多少あけるようにしておくとよい。
【００１５】
加えて、シリアル−パラレル変換は、必須ではなく、画像信号がデータ線の１本１本に順次供給される場合にも、本発明は適用可能である。
【００１６】
ここで特に、一般に行われているように、画像信号係る帰線期間で一括してプリチャージを行った場合、この帰線期間を、画像信号を供給するための期間或いはサンプリング用の期間として利用できない。他方で、帰線期間は、画像信号が実際に供給される或いは画像信号がサンプリングされる期間と比べて無視し得ない程度に長い。このため、限られた時間内に、画像信号のサンプリングを行うための期間とプリチャージを行うための期間とを確保することが困難となってしまう。従って、十分にプリチャージを行うことが困難となり、最終的には、高品質な画像表示を行うことが困難となってしまう。加えて、プリチャージ電圧を、データ線群毎に可変とすることも不可能となる。
【００１７】
しかるに本発明の第１の電気光学装置によれば、画像信号供給部は、第ｉ番目の画像信号供給期間に先行すると共に第ｉ−１番目の画像信号供給期間よりも後のプリチャージ期間に、所定のプリチャージ信号を第ｉ番目のデータ線群に対して供給する。このため、帰線期間でプリチャージをまとめて行うが必要なくなる。よって、この帰線期間を、画像信号を供給するための期間或いはサンプリング用の期間として利用することができる。加えて、プリチャージ電圧を、データ線群毎に可変とすることも可能である。従って、高品質な画像表示を行うことが可能となる。
【００１８】
本発明の第１の電気光学装置の一態様では、前記画像信号供給部は、前記第ｉ番目のデータ線群に含まれるデータ線の数に対応する数の画像信号線を介して供給される前記画像信号をサンプリングして前記第ｉ番目のデータ線群に対して供給し、前記画像信号線を介して供給される前記プリチャージ信号をサンプリングして前記第ｉ番目のデータ線群に対して供給するサンプリング回路を有する。
【００１９】
この態様によれば、画像信号供給部は、サンプリング回路を有する。サンプリング回路は、第ｉ番目の画像信号供給期間に、画像信号線を介して供給される画像信号をサンプリングして第ｉ番目のデータ線群に対して供給する。更に、サンプリング回路は、第ｉ番目の画像信号供給期間に先行すると共に第ｉ−１番目の画像信号供給期間よりも後のプリチャージ期間に画像信号線を介して供給されるプリチャージ信号をサンプリングして第ｉ番目のデータ線群に対して供給する。即ち、“ビデオプリチャージ”を行う。このため、画像信号線が、プリチャージ期間にデータ線を導通させるだけでなく、データ線に対して直接電圧を供給するため、データ線を、より確実にプリチャージすることが可能となる。
【００２０】
尚、プリチャージ信号を供給するプリチャージスイッチを、サンプリング回路とは別に設けてもよい。例えば、データ線の一端側にサンプリング回路を設け、他端側に、プリチャージスイッチを設けてもよい。
【００２１】
本発明の第１の電気光学装置の他の態様では、前記画像信号供給部は、前記サンプリング回路が前記画像信号をサンプリングする際の基準となるサンプリングパルスの元になる転送パルスの幅よりも狭いパルス幅を持つと共にイネーブル信号供給線を介して供給されるイネーブル信号と、前記転送パルスとに基づいて前記サンプリングパルスを出力するイネーブル回路を有し、前記イネーブル回路は、前記イネーブル信号供給線を介して前記イネーブル信号と相前後して、前記プリチャージ信号が供給されるべきプリチャージ期間を規定するプリチャージ期間規定信号が供給されると、該供給されたプリチャージ期間規定信号を、前記プリチャージ信号をサンプリングさせるために、前記サンプリング回路に供給する。
【００２２】
この態様によれば、画像信号供給部は、イネーブル回路を更に有する。イネーブル回路には、例えば外部回路からイネーブル信号線を介してイネーブル信号が供給される。イネーブル信号は、サンプリング回路が前記画像信号をサンプリングする際の基準となるサンプリングパルスの元になる転送パルスの幅よりも狭いパルス幅を持っている。イネーブル回路は、イネーブル信号に応じて転送パルスの幅に制限をかけてサンプリングパルスとする。即ち、イネーブル回路は、例えばイネーブル信号と転送パルスの論理積をとることにより、転送パルスの幅よりも狭いパルス幅であるイネーブル信号のパルス幅のサンプリングパルスを生成する。更に、イネーブル回路には、イネーブル信号供給線を介してイネーブル信号と相前後して、プリチャージ信号が供給されるべきプリチャージ期間を規定するプリチャージ期間規定信号が供給される。イネーブル回路は、供給されたプリチャージ期間規定信号を、プリチャージ信号をサンプリングさせるために、サンプリング回路に供給する。これにより、プリチャージ期間にデータ線がプリチャージされることとなる。
【００２３】
以上の結果、イネーブル信号によって、転送パルスのパルス幅よりも狭いパルス幅に揃ったサンプリングパルスを生成できると共に帰線期間でプリチャージをまとめて実施する必要がなくなる。よって、サンプリングパルスのバラツキによるノイズを防止できると共に帰線期間を、画像信号を供給するための期間或いはサンプリング用の期間として利用することができる。従って、高品質な画像表示を行うことが可能となる。
【００２４】
本発明の第１の電気光学装置の他の態様では、前記データ線群は、前記少なくとも１本のデータ線としてＮ（但し、Ｎは２以上の自然数）本のデータ線を含み、前記複数のデータ線を前記データ線群毎に駆動するために、前記画像信号としてＮ個のシリアル−パラレル変換された第ｉ画像信号群が供給されると共に、該第ｉ画像信号群に先行して、前記プリチャージ信号として前記所定電位の第ｉプリチャージ信号群が一括して供給されるＮ本の画像信号線を更に含み、前記画像信号供給部は、前記Ｎ本の画像信号線を介して夫々供給される前記第ｉ画像信号群を第ｉ画像信号供給期間に前記第ｉ番目のデータ線群に供給すると共に、前記Ｎ本の画像信号線を介して一括に供給される前記第ｉプリチャージ信号群を前記第ｉ画像信号供給期間に先行する期間に前記第ｉ番目のデータ線群に供給する。
【００２５】
この態様によれば、シリアル−パラレル変換（即ち、相展開）されたＮ個の画像信号からなる第ｉ画像信号群が、Ｎ本の画像信号線に供給される。尚、Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。Ｎ本の画像信号線を介して夫々供給される第ｉ画像信号群は、第ｉ画像信号供給期間に画像信号供給部によって、第ｉ番目のデータ線群に供給される。
【００２６】
一方、第ｉ画像信号群に先行して、プリチャージ信号として所定電位の第ｉプリチャージ信号群が、Ｎ本の画像信号線に一括して供給される。Ｎ本の画像信号線を介して一括に供給される第ｉプリチャージ信号群は、第ｉ画像信号供給期間に先行する期間に画像信号供給部によって、第ｉ番目のデータ線群に供給される。このため、帰線期間でプリチャージをまとめて実施する必要がなくなる。よって、例えば、この帰線期間を、画像信号を供給するための期間或いはサンプリング用の期間として利用することができる。従って、高品質な画像表示を行うことが可能となる。
【００２７】
本発明の第１の電気光学装置の他の態様では、前記プリチャージ信号は、前記所定電位が前記データ線群別に可変に設定されている。
【００２８】
この態様によれば、プリチャージ信号は、所定電位がデータ線群別に可変に設定されているので、プリチャージ電位の適正値からのバラツキを抑制することができる。従って、駆動中の各データ線の電位を概ね適正値とすることができ、表示斑やフリッカ等として表れる表示品質の劣化を防止することが可能である。最終的には、高品質な画像表示を行うことが可能となる。
【００２９】
本発明の第１の電気光学装置の他の態様では、垂直帰線期間及び水平帰線期間が存在する第１画像信号が所定のフレーム又はフィールド周期で供給されると、前記垂直帰線期間及び前記水平帰線期間のうち少なくとも一方の期間を狭めると共に前記プリチャージ信号が供給されるべきプリチャージ期間以上の期間が前記第ｉ−１番目の画像信号供給期間及び前記第ｉ番目の画像信号供給期間の間に存在するように、前記画像信号を生成して前記画像信号供給部に供給するラインバッファを更に備える。
【００３０】
この態様によれば、ラインバッファを更に備える。ラインバッファには、垂直帰線期間及び水平帰線期間が存在する第１画像信号が所定のフレーム又はフィールド周期で供給される。ラインバッファは、垂直帰線期間及び水平帰線期間のうち少なくとも一方の期間を狭める。これと共にラインバッファは、プリチャージ信号が供給されるべきプリチャージ期間以上の期間が第ｉ−１番目の画像信号供給期間及び第ｉ番目の画像信号供給期間の間に存在するように、画像信号を生成して画像信号供給部に供給する。よって、垂直帰線期間及び水平帰線期間のうち少なくとも一方の期間が狭められるので、画像信号をサンプリングするための時間、即ち第ｉ番目の画像信号供給期間を、垂直帰線期間及び水平帰線期間のうち少なくとも一方の期間を狭めない場合と比べて確保し易い。また、第ｉ−１番目の画像信号供給期間及び第ｉ番目の画像信号供給期間の間にプリチャージ信号が供給されるべきプリチャージ期間以上の期間が存在するので、この期間に十分にプリチャージを行うことが可能となる。従って、駆動中の各データ線の電位を概ね適正値とすることができ、表示斑やフリッカ等として表れる表示品質の劣化を防止することが可能である。最終的には、高品質な画像表示を行うことが可能となる。
【００３１】
上述したラインバッファを更に備えた態様では、前記プリチャージ期間に対応するように前記プリチャージ信号を生成し、前記画像信号と共に画像信号線を介して前記画像信号供給部に供給するプリチャージ信号生成部を更に備えてもよい。
【００３２】
このように構成すれば、プリチャージ信号生成部から供給されるプリチャージ期間に対応したプリチャージ信号によって、十分にプリチャージを行うことが可能となる。従って、駆動中の各データ線の電位を概ね適正値とすることができ、表示斑やフリッカ等として表れる表示品質の劣化を防止することが可能である。最終的には、高品質な画像表示を行うことが可能となる。
【００３３】
本発明の画像信号処理回路は上記課題を解決するために、上述した本発明の電気光学装置（但し、その各種態様も含む）に対して、前記画像信号及び前記プリチャージ信号を供給する画像信号処理回路であって、垂直帰線期間及び水平帰線期間が存在する第１画像信号が所定のフレーム又はフィールド周期で供給されると、前記垂直帰線期間及び前記水平帰線期間のうち少なくとも一方の期間を狭めると共に前記プリチャージ信号が供給されるべきプリチャージ期間以上の期間が前記第ｉ−１番目の画像信号供給期間及び前記第ｉ番目の画像信号供給期間の間に存在するように、前記画像信号を生成して前記画像信号供給部に供給する画像信号生成部と、前記プリチャージ期間に対応するように前記プリチャージ信号を生成し、前記画像信号と共に画像信号線を介して前記画像信号供給部に供給するプリチャージ信号生成部とを備える。
【００３４】
本発明の画像信号処理回路によれば、上述した本発明の電気光学装置に対して、プリチャージ期間に対応するようにプリチャージ信号を供給することができるので、高品質な画像表示を行うことが可能となる。
【００３５】
本発明の第２の電気光学装置は上記課題を解決するために、相交差する複数の走査線及び複数のデータ線と、前記走査線及び前記データ線の交差に対応して配列され、画像信号が供給される複数の画素部と、サンプリング信号に基づいて前記画像信号を前記データ線にサンプリングするサンプリング回路と、プリチャージ信号が挿入された画像信号を出力する画像信号供給部と、を備え、前記サンプリング信号は、前記画像信号をサンプリングする期間と当該サンプリングする期間に先行するプリチャージ期間とを規定する。
【００３６】
本発明の第２の電気光学装置によれば、その駆動時には、例えばシリアル−パラレル変換（即ち、相展開）されたＮ個の画像信号が、Ｎ本の画像信号線に供給され、更に、画像信号供給部へと供給される。Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【００３７】
このような画像信号の供給に応じて、画像信号供給部によって、複数のデータ線には、有効水平走査期間（即ち、画像信号のサンプリングが行われる期間）内において少なくとも１本のデータ線を含むデータ線群毎にＮ個の画像信号が順次供給される。即ち、データ線群毎に画像信号を供給する画像信号供給期間が割り当てられ、第ｉ（但し、ｉは自然数）番目の画像信号供給期間に、第ｉ番目のデータ線群に含まれるデータ線に対してＮ個の画像信号が同時に供給される。画像信号供給部は、例えば、データ線駆動回路及びサンプリング回路から構成され、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が同時に供給される。よって、同一のデータ線群に属するデータ線は同時に駆動されることとなる。尚、サンプリングスイッチは、例えば、片チャネル型のＴＦＴにより夫々構成され、ソースが分岐配線に電気的に接続され、ドレインがデータ線に接続され、ゲートにサンプリング信号が供給されることでオン状態となる。
【００３８】
このようにデータ線が駆動されると、各画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００３９】
ここで本発明の第２の電気光学装置では特に、サンプリング信号は、画像信号をサンプリングする期間即ち第ｉ番目の画像信号供給期間と当該サンプリングする期間に先行する第ｉ番目のプリチャージ期間とを規定する。このため、サンプリング信号によって、画像信号線に供給される画像信号及びプリチャージ信号を夫々第ｉ番目の画像信号供給期間及び第ｉ番目のプリチャージ期間に対応してデータ線に供給することができる。従って、プリチャージ信号の供給のための配線や回路を、画像信号を供給する回路とは別に設ける必要がない。その結果、回路規模を大きくせずにプリチャージをすることができる。
【００４０】
本発明の電子機器は上記課題を解決するために、上述した本発明の電気光学装置（但し、その各種態様も含む）を具備する。
【００４１】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital Light Processing）等を実現することも可能である。
【００４２】
本発明の電気光学装置の駆動方法は上記課題を解決するために、相交差する複数の走査線及び複数のデータ線と、前記走査線及び前記データ線の交差に対応して配列された複数の画素部とを備えた電気光学装置を駆動するための電気光学装置の駆動方法であって、同時に画像信号が供給されることになる少なくとも１本のデータ線を含む第ｉ（但し、ｉは自然数）番目のデータ線群に対して割り当てられる第ｉ番目の画像信号供給期間に、前記少なくとも１本に対応する数の画像信号をサンプリングして前記第ｉ番目のデータ線群に対して供給する画像信号供給ステップと、前記第ｉ番目の画像信号供給期間に先行すると共に第ｉ−１番目の画像信号供給期間よりも後に、所定電位のプリチャージ信号を第ｉ番目のデータ線群に対して供給するプリチャージ信号供給ステップとを備える。
【００４３】
本発明の電気光学装置の駆動方法によれば、画像信号供給ステップでは、第ｉ番目の画像信号供給期間に先行すると共に第ｉ−１番目の画像信号供給期間よりも後のプリチャージ期間に、所定のプリチャージ信号が第ｉ番目のデータ線群に対して供給される。このため、帰線期間でのプリチャージが必要なくなる。よって、例えば、この帰線期間を、画像信号を供給するための期間或いはサンプリング用の期間として利用することができる。従って、高品質な画像表示を行うことが可能となる。
【００４４】
本発明のこのような作用及び他の利得は次に説明する実施の形態から明らかにされる。
【発明を実施するための最良の形態】
【００４５】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００４６】
（第１実施形態）
第１実施形態に係る液晶装置について、図１から図１１を参照して説明する。
【００４７】
先ず、図１及び図２を参照して、本実施形態に係る液晶装置の全体構成について、説明する。ここに図１は、本実施形態に係る液晶装置の構成を示す平面図であり、図２は、図１のＨ−Ｈ’線での断面図である。
【００４８】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４９】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００５０】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００５１】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００５２】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００５３】
また、ＴＦＴアレイ基板１０は石英やプラスチックなどの透明基板を用いてもよいし、単結晶シリコン或いは単結晶シリコン化合物などからなる半導体基板を用いてもよい。
【００５４】
尚、ＴＦＴアレイ基板１０に単結晶シリコンなどの半導体を用いた場合には、画素スイッチング用の素子としてトランジスタを形成することが可能である。
【００５５】
次に、この液晶装置の主要な構成について図３から図５を参照して説明する。ここに、図３は、当該液晶装置の要部の構成を示している。図４は、図３に示した構成のうち転送信号の整形に関する回路系を表している。図５は、第１変形例に係る図４と同趣旨の図である。
【００５６】
図３において、液晶装置は、例えば石英基板、ガラス基板或いはシリコン基板等からなるＴＦＴアレイ基板１０と対向基板２０（ここでは図示せず）とが液晶層を介して対向配置され、画像表示領域１０ａにおいて区画配列された画素電極９ａに印加する電圧を制御し、液晶層にかかる電界を画素毎に変調する構成となっている。これにより、両基板間の透過光量が制御され、画像が階調表示される。この液晶装置はＴＦＴアクティブマトリクス駆動方式を採り、ＴＦＴアレイ基板１０における画素表示領域１０ａには、マトリクス状に配置された複数の画素電極９ａと、互いに交差して配列された複数の走査線２及びデータ線３とが形成され、画素に対応する画素部が構築されている。尚、ここでは図示しないが、各画素電極９ａとデータ線３との間には、走査線２を介して夫々供給される走査信号に応じて導通、非導通が制御されるＴＦＴや、画素電極９ａに印加した電圧を維持するための蓄積容量が形成されている。また、画像表示領域１０ａの周辺領域には、データ線駆動回路１０１等の駆動回路、外部回路接続端子１０２が形成されている。
【００５７】
データ線駆動回路１０１は、シフトレジスタ５１、イネーブル回路５５及びサンプリング回路７からなる。シフトレジスタ５１は、データ線駆動回路１０１内に入力される所定周期のＸ側クロック信号ＣＬＸ（及びその反転信号ＣＬＸＢ）及びシフトレジスタスタート信号ＤＸに基づいて、各段から転送信号Ｐｉ（ｉ＝１、…、ｎ）を順次出力するように構成されている。
【００５８】
イネーブル回路５５は、転送信号Ｐｉ（ｉ＝１、…、ｎ）をイネーブル信号に基づいて整形し、それを基にして最終的にサンプリング回路駆動信号Ｓｉ（ｉ＝１、…、ｎ）を出力する機能を有している。
【００５９】
図４において、イネーブル回路５５はＡＮＤ回路５５Ａ及びＯＲ回路５５Ｄの２段で構成されている。ＡＮＤ回路５５Ａは、シフトレジスタ５１から入力される転送信号Ｐｉ（ｉ＝１、…、ｎ）と、４本のイネーブル供給線８１の夫々から供給されるイネーブル信号ＥＮＢ１〜ＥＮＢ４のうちの一つとの論理積を、サンプリング回路駆動信号Ｓｉ（ｉ＝１、…、ｎ）として出力するように構成されている。ＯＲ回路５５Ｄは、ＡＮＤ回路５５Ａの後段に設けられており、ＡＮＤ回路５５Ａの出力、及び、４本のイネーブル供給線８１の夫々からからプリチャージ期間規定信号ＮＲＧ（Noise Reduction Gate）１〜４のうちの一つが入力されるように構成され、これらの信号の少なくとも一方が入力されたときに“Ｈｉｇｈ"を出力する。尚、プリチャージ期間規定信号ＮＲＧ１〜４はイネーブル供給線８１及び外部回路接続端子１０２を介して、ＴＦＴアレイ基板１０の外部の画像処理回路から供給される。画像処理回路については後述する。論理積を求めることにより、転送信号Ｐｉ（ｉ＝１、…、ｎ）の波形は、よりパルス幅の狭いイネーブル信号ＥＮＢ１〜ＥＮＢ４の波形に基づいてトリミングされ、パルス幅がイネーブル信号のパルス幅に制限される。
【００６０】
尚、イネーブル回路５５はトランスミッションゲートでも構成することができる。即ち、イネーブル信号がゲートに入力され、転送信号Ｐｉがソースに入力される（或いはその逆でもよい）ようなトランスミッションゲートを用いればよい。
【００６１】
サンプリング回路７は、画像信号線６に供給される画像信号ＶＩＤを、基準クロック信号であるサンプリング回路駆動信号Ｓｉ（ｉ＝１、…、ｎ）に応じてサンプリングし、夫々をデータ信号としてデータ線３に印加する。サンプリング回路７は、例えば図４に示したように、Ｐチャネル型又はＮチャネル型の片チャネル型ＴＦＴ若しくは相補型のＴＦＴから構成されたサンプリングスイッチ７１からなる。
【００６２】
尚、ここでは説明の簡便のために画像信号線６は一本とし、いずれのサンプリングスイッチ７１もこの画像信号線６から画像信号ＶＩＤを供給されるようにしたが、画像信号は、シリアル−パラレル展開（即ち、相展開）されていてもよい。図５に第１変形例として示すように、画像信号を画像信号ＶＩＤ１〜ＶＩＤ６の６相にシリアル−パラレル展開した場合、これらの画像信号は、６本の画像信号線を夫々介してサンプリング回路７に入力される。複数の画像信号線に対し、シリアルな画像信号を変換して得たパラレルな画像信号を同時供給すると、データ線３への画像信号入力をグループ毎に行うことができ、駆動周波数が抑えられる。
【００６３】
走査線駆動回路１０４は、マトリクス状に配置された複数の画素電極９ａをデータ信号及び走査信号により走査線２の配列方向に走査するために、走査信号印加の基準クロックであるＹ側クロック信号ＣＬＹ（及びその反転信号ＣＬＹＢ）及びシフトレジスタスタート信号ＤＹに基づいて生成される走査信号を、複数の走査線２に順次印加するように構成されている。その際には、各走査線２には、両端から同時に電圧が印加される。
【００６４】
尚、クロック信号ＣＬＸ等の各種タイミング信号は、図示しないタイミングジェネレータにて生成され、ＴＦＴアレイ基板１０上の各回路に供給される。また、各駆動回路の駆動に必要な電源電圧ＶＤＤＸ、ＶＤＤＹ等もまた外部回路から供給される。更に、上下導通端子１０６から引き出された信号線には、外部回路から対向電極電位ＬＣＣが供給される。対向電極電位ＬＣＣは、上下導通端子１０６を介して対向電極２１に供給される。対向電極電位ＬＣＣは、画素電極９ａとの電位差を適正に保持して液晶保持容量を形成するための対向電極２１の基準電位となる。
【００６５】
次に本実施形態の液晶装置の駆動方法、特にプリチャージについて図５から図７を参照して説明する。ここに図６は、本実施形態の液晶装置におけるプリチャージの動作を示すタイミングチャートである。図７は、本実施形態の比較例における図６と同趣旨のタイミングチャートである。尚、図６及び図７では、画像信号ＶＩＤは前述したように６相の画像信号ＶＩＤ１〜ＶＩＤ６にシリアルーパラレル変換されていてもよいが、説明のため、まとめて一つの画像信号ＶＩＤとしてある。
【００６６】
図５及び図６において、本実施形態の液晶装置では、その駆動時には、画像信号ＶＩＤが画像信号線６に供給され、更に画像信号供給部１１０へと供給される。
【００６７】
画像信号ＶＩＤの供給に応じて、画像信号供給部１１０によって、複数のデータ線３には、データ線群Ｄｉ毎に画像信号ＶＩＤが順次供給される。即ち、データ線群Ｄｉ毎に画像信号ＶＩＤを供給する画像信号供給期間Ｔｖ（ｉ）が割り当てられ、第ｉ（但し、ｉは自然数）番目の画像信号供給期間Ｔｖ（ｉ）に、第ｉ番目のデータ線群Ｄｉに画像信号が同時に供給される。画像信号供給部１１０は、データ線駆動回路１０１及びサンプリング回路７から構成され、イネーブル回路５５によって、データ線群Ｄｉに対応するサンプリングスイッチ７１毎に、サンプリング回路駆動信号Ｓｉが順次供給される。すると、サンプリング回路７によって、複数のデータ線３には、サンプリング回路駆動信号Ｓｉに応じてデータ線群Ｄｉ毎に画像信号ＶＩＤが同時に供給される。よって、同一のデータ線群Ｄｉに属するデータ線３は同時に駆動されることとなる。
【００６８】
このようにデータ線３が駆動されると、各画素部では、走査線駆動回路１０４から走査線２を介して供給される走査信号に応じて画素電極９ａが選択状態となり、スイッチング動作を行う画素スイッチング素子を介して、データ線３より画像信号ＶＩＤが画素電極９ａに供給される。これにより、表示素子である液晶素子は供給された画像信号ＶＩＤに基づいて画像表示を行う。
【００６９】
画像信号ＶＩＤを供給する第ｉ番目の画像信号供給期間Ｔｖ（ｉ）に先行すると共に第ｉ−１番目の画像信号供給期間Ｔｖ（ｉ−１）よりも後のプリチャージ期間Ｔｐ（ｉ）において、プリチャージが行われる。プリチャージとは、書き込み不足を防止するために、データ線を充電もしくは放電させ、予めデータ線３の電位を画像信号電位に近づけるような制御をいう。プリチャージは、プリチャージタイミングに応じて、複数のデータ線３に対して一斉に、或いはデータ線３毎に行われる。より具体的には、データ書き込み時には、書き込むべきタイミングでデータ線３を画像信号線６と導通させるが、プリチャージ動作時には、プリチャージされるべきタイミングで画像信号供給部１１０によってデータ線３にプリチャージ信号ＰＣＳが供給される。
【００７０】
ここで図７に示した本実施形態の比較例と比較することで、上述の如くプリチャージ信号を供給する本実施形態の作用効果について検討する。ここに図７は、本実施形態の比較例における図６と同趣旨のタイミングチャートである。
【００７１】
図７に示す比較例のように、画像信号ＶＩＤに係る帰線期間ＢＩで一括してプリチャージを行った場合、この帰線期間ＢＩを、画像信号ＶＩＤを供給するための期間或いはサンプリング用の期間として利用できない。他方で、帰線期間ＢＩは、画像信号ＶＩＤが実際に供給される或いは画像信号ＶＩＤがサンプリングされる期間と比べて無視し得ない程度に長い。このため、限られた時間内に、画像信号ＶＩＤのサンプリングを行うための期間とプリチャージを行うための期間とを確保することが困難となってしまう。従って、十分にプリチャージを行うことが困難となり、最終的には、高品質な画像表示を行うことが困難となってしまう。
【００７２】
しかるに本実施形態の液晶装置によれば、画像信号供給部１１０は、第ｉ番目の画像信号供給期間Ｔｖ（ｉ）に先行すると共に第ｉ−１番目の画像信号供給期間Ｔ（ｉ−１）よりも後のプリチャージ期間Ｔｐ（ｉ）に、所定のプリチャージ信号ＰＣＳを第ｉ番目のデータ線群Ｄｉに対して供給する。このため、帰線期間ＢＩでプリチャージをまとめて行うが必要なくなる。よって、この帰線期間ＢＩを、画像信号を供給するための期間或いはサンプリング用の期間として利用することができる。加えて、プリチャージ信号ＰＣＳの電圧レベルを、データ線群Ｄｉ毎に可変とすることも可能である。従って、高品質な画像表示を行うことが可能となる。
【００７３】
図５及び図６において、本実施形態では特に、画像信号供給部１１０は、サンプリング回路７を有する。サンプリング回路７は、第ｉ番目の画像信号供給期間Ｔｖ（ｉ）に、画像信号線６を介して供給される画像信号ＶＩＤをサンプリングして第ｉ番目のデータ線群Ｄｉに対して供給する。更に、サンプリング回路７は、第ｉ番目の画像信号供給期間Ｔｖ（ｉ）に先行すると共に第ｉ−１番目の画像信号供給期間Ｔｖ（ｉ−１）よりも後のプリチャージ期間Ｔｐ（ｉ）に画像信号線を介して供給されるプリチャージ信号ＰＣＳをサンプリングして第ｉ番目のデータ線群Ｄｉに対して供給する。即ち、“ビデオプリチャージ”を行う。このため、画像信号線６が、プリチャージ期間Ｔｐ（ｉ）にデータ線３を導通させるだけでなく、データ線３に対して直接電圧を供給するため、データ線３を、より確実にプリチャージすることが可能となる。
【００７４】
尚、プリチャージ信号ＰＣＳを供給するプリチャージスイッチを、サンプリング回路７とは別に設けてもよい。例えば、データ線３の一端側にサンプリング回路７を設け、他端側に、プリチャージスイッチを設けてもよい。
【００７５】
次に、イネーブル信号とプリチャージ期間規定信号について、図４及び図８を参照して説明する。ここに図８は、図４に示した駆動系における各種信号のタイミングチャートである。
【００７６】
図４及び図８において、本実施形態では特に、画像信号供給部１１０は、イネーブル回路５５を更に有する。イネーブル回路５５には、外部回路からイネーブル信号線８１を介してイネーブル信号ＥＮＢ１〜ＥＮＢ４が供給される。イネーブル信号ＥＮＢ１〜ＥＮＢ４は、サンプリング回路７が画像信号ＶＩＤをサンプリングする際の基準となるサンプリング回路駆動信号Ｓｉの元になる転送パルスＰｉの幅よりも狭いパルス幅ｄ１を持っている。イネーブル回路５５は、イネーブル信号ＥＮＢ１〜ＥＮＢ４に応じて転送パルスＰｉの幅に制限をかけてサンプリング回路駆動信号Ｓｉとする。即ち、イネーブル回路５５は、イネーブル信号ＥＮＢ１〜ＥＮＢ４と転送パルスＰｉの論理積をとることにより、転送パルスＰｉの幅よりも狭いパルス幅であるイネーブル信号ＥＮＢ１〜ＥＮＢ４のパルス幅ｄ１のサンプリング回路駆動信号Ｓｉを生成する。更に、イネーブル回路５５には、イネーブル信号供給線８１を介してイネーブル信号ＥＮＢ１〜ＥＮＢ４と相前後して、プリチャージ信号ＰＣＳが供給されるべきプリチャージ期間Ｔｐ（ｉ）を規定するプリチャージ期間規定信号ＮＲＧ（ｉ）が供給される。イネーブル回路５５は、供給されたプリチャージ期間規定信号ＮＲＧ（ｉ）を、サンプリング回路駆動信号Ｓｉに代えてプリチャージ信号ＰＣＳをサンプリングすべき旨の信号として、サンプリング回路７に供給する。これにより、プリチャージ期間Ｔｐ（ｉ）にデータ線３がプリチャージされることとなる。
【００７７】
以上の結果、イネーブル信号ＥＮＢ１〜ＥＮＢ４によって、転送パルスＰｉのパルス幅よりも狭いパルス幅に揃ったサンプリング回路駆動信号Ｓｉを生成できると共に帰線期間ＢＩでプリチャージをまとめて実施する必要がなくなる。
【００７８】
つまり、これまで帰線期間を利用して一括してプリチャージを行っていたのに対し、有効水平走査期間（画像信号のサンプリングが行われる期間）を利用してプリチャージを行うことができる。
【００７９】
よって、サンプリング回路駆動信号Ｓｉのバラツキによるノイズを防止できると共に帰線期間ＢＩを、画像信号ＶＩＤを供給するための期間或いはサンプリング用の期間として利用することができる。また、帰線期間そのものがプリチャージと関係なく設定できるので、帰線期間にプリチャージを行う場合に比べて、帰線期間を短縮することができる。従って、高品質な画像表示を行うことが可能となる。
【００８０】
図５において、本実施形態では特に、シリアル−パラレル変換（即ち、相展開）された６個の画像信号からなる第ｉ画像信号群ＶＧ（ｉ）が、６本の画像信号線６に供給される。尚、６個の画像信号ＶＩＤ１〜ＶＩＤ６は、駆動周波数の上昇を抑えつつ高精細な画像表示を実現すべく、外部回路によって、シリアルな画像信号が、６つのパラレルな画像信号に変換されることによって生成される。尚、相展開数は６相に限られず、３相、１２相、２４相、・・・などであってもよい。
【００８１】
６本の画像信号線６を介して夫々供給される第ｉ画像信号群ＶＧ（ｉ）は、第ｉ画像信号供給期間Ｔｖ（ｉ）に画像信号供給部１１０によって、第ｉ番目のデータ線群Ｄｉに供給される。
【００８２】
一方、第ｉ画像信号群ＶＧ（ｉ）に先行して、プリチャージ信号ＰＣＳとして所定電位の第ｉプリチャージ信号群ＰＣＳ（ｉ）が、６本の画像信号線６に一括して供給される。６本の画像信号線６を介して一括に供給される第ｉプリチャージ信号群ＰＣＳ（ｉ）は、第ｉ画像信号供給期間Ｔｖ（ｉ）に先行する期間に画像信号供給部１１０によって、第ｉ番目のデータ線群Ｄｉに供給される。このため、帰線期間でプリチャージをまとめて実施する必要がなくなる。よって、この帰線期間を、画像信号を供給するための期間或いはサンプリング用の期間として利用することができる。従って、高品質な画像表示を行うことが可能となる。
【００８３】
次に、図９及び図１０を参照して、本実施形態の第２変形例について説明する。ここに図９は、第２変形例における図５と同趣旨の回路図である。図１０は、第２変形例における図８と同趣旨のタイミングチャートである。
【００８４】
図９において、第２変形例では特に、イネーブル回路５５は、ＯＲ回路５５Ｄ（図５参照）を有していない。即ち、イネーブル回路５５は、ＡＮＤ回路５５Ａの１段で構成されている。
【００８５】
図１０において、プリチャージ期間規定信号ＮＲＧ（ｉ）のパルスと転送パルスＰｉのパルスとは重なるように設定されている。即ち、イネーブル回路５５は、プリチャージ期間Ｔｐ（ｉ）には、イネーブル供給線８１から供給されたプリチャージ期間規定信号ＮＲＧ（ｉ）とシフトレジスタ５１から供給された転送パルスＰｉとの論理積をとることにより、プリチャージ期間規定信号ＮＲＧ（ｉ）をサンプリング回路駆動信号Ｓｉとして、サンプリング回路７に供給する。このため、サンプリング回路７は、サンプリング回路駆動信号Ｓｉに応じて、プリチャージ期間Ｔｐ（ｉ）にはプリチャージ信号ＰＣＳをデータ線３に供給し、画像信号供給期間Ｔｖ（ｉ）には、画像信号ＶＩＤをデータ線３に供給する。即ち、イネーブル信号ＥＮＢ１〜ＥＮＢ４に基づいて出力されたサンプリング回路駆動信号Ｓｉは画像信号供給期間Ｔｖ（ｉ）とプリチャージ期間Ｔｐ（ｉ）との双方を規定する信号となっている。このように第２変形例に係る回路（図９参照）は、第１変形例に係る回路（図５参照）と同様の機能を果たすことができる。尚、画像信号ＶＩＤに挿入されるプリチャージ信号ＰＣＳのタイミングは、プリチャージ期間規定信号ＮＲＧ（ｉ）と同期するように、タイミング信号生成部４６０によって設定すればよい。
【００８６】
以上のように、第２変形例に係る回路によれば、第１変形例に係る回路で必要としたＯＲ回路５５Ｄは不要となり、回路規模が大幅に簡略化することができる。
【００８７】
図１１に第３変形例として示すように、プリチャージ信号ＰＣＳは、所定電位がデータ線群別に可変に設定されてもよい。ここに図１１は、第３変形例における図６と同趣旨のタイミングチャートである。
【００８８】
このように設定すれば、プリチャージ電位の適正値からのバラツキを抑制することができる。従って、駆動中の各データ線３の電位を概ね適正値とすることができ、表示斑やフリッカ等として表れる表示品質の劣化を防止することが可能である。最終的には、高品質な画像表示を行うことが可能となる。
【００８９】
（画像信号処理回路）
次に、画像信号処理回路について図１２を参照して説明する。ここに図１２は、本実施形態に係る画像信号処理回路を示すブロック図である。
【００９０】
図１２において、画像信号処理回路４００は、画像信号生成部４４０及びプリチャージ信号生成部４９０を備える。画像信号処理回路４００は、上述した本実施形態の液晶装置に対して、画像信号ＶＩＤ及びプリチャージ信号ＰＣＳを供給する。
【００９１】
画像信号生成部４４０は、ラインバッファ４１０、信号処理回路４２０及び相展開回路４３０からなる。
【００９２】
ラインバッファ４１０は、外部回路から垂直帰線期間ＶＢＩ及び水平帰線期間ＨＢＩが存在する第１画像信号ＦＶＳが所定のフレーム又はフィールド周期で供給されると、第１画像信号ＦＶＳを一定期間保持する。ラインバッファ４１０は、垂直帰線期間ＶＢＩ及び水平帰線期間ＨＢＩのうち少なくとも一方の期間を狭める。これと共にラインバッファ４１０は、プリチャージ信号ＰＣＳが供給されるべきプリチャージ期間Ｔｐ（ｉ）以上の期間が第ｉ−１番目の画像信号供給期間Ｔｖ（ｉ―１）及び第ｉ番目の画像信号供給期間Ｔｖ（ｉ）の間に存在するように、画像信号ＶＩＤを生成して画像信号供給部１１０に供給する。よって、垂直帰線期間ＶＢＩ及び水平帰線期間ＨＢＩのうち少なくとも一方の期間が狭められるので、画像信号ＶＩＤをサンプリングするための時間、即ち第ｉ番目の画像信号供給期間Ｔｖ（ｉ）を、垂直帰線期間ＶＢＩ及び水平帰線期間ＨＢＩのうち少なくとも一方の期間を狭めない場合と比べて確保し易い。また、第ｉ−１番目の画像信号供給期間Ｔｖ（ｉ−１）及び第ｉ番目の画像信号供給期間Ｔｖ（ｉ）の間にプリチャージ信号ＰＣＳが供給されるべきプリチャージ期間Ｔｐ（ｉ）以上の期間が存在するので、この期間に十分にプリチャージを行うことが可能となる。
【００９３】
信号処理回路４２０は、垂直帰線期間ＶＢＩ及び水平帰線期間ＨＢＩのうち少なくとも一方の期間を狭めると共にプリチャージ信号ＰＣＳが供給されるべきプリチャージ期間Ｔｐ（ｉ）以上の期間が第ｉ−１番目の画像信号供給期間Ｔｖ（ｉ−１）及び第ｉ番目の画像信号供給期間Ｔｖ（ｉ）の間に存在するように、第１画像信号ＦＶＳを画像信号ＶＩＤに変換する。
【００９４】
相展開回路４３０は、信号処理回路４２０から供給される画像信号ＶＩＤをタイミング信号に基づいて６相にパラレル変換し、画像信号ＶＩＤ１〜ＶＩＤ６を生成して画像信号供給部１１０に供給する。
【００９５】
一方、プリチャージ信号生成部４９０は、タイミング信号生成部４６０、プリチャージ信号挿入部４７０及びレベルシフト部４８０を備える。
【００９６】
タイミング信号生成部４６０は、垂直同期信号ＶＳＹＮＣ、水平同期信号ＨＳＹＮＣ及びクロック信号ＤＣＬＫに基づいてイネーブル信号ＥＮＢ１〜ＥＮＢ４、プリチャージ期間規定信号ＮＲＧ（ｉ）、相展開基準信号等各種タイミング信号を生成し、必要に応じて、相展開回路４３０、プリチャージ挿入部４７０及びレベルシフト部４８０に供給する。
【００９７】
プリチャージ信号挿入部４７０は、プリチャージ期間Ｔｐ（ｉ）に対応するようにプリチャージ信号ＰＣＳを生成し、信号処理回路４２０に供給する。プリチャージ信号ＰＣＳは、画像信号ＶＩＤと共に画像信号線６を介して画像信号供給部１１０に供給される。
【００９８】
レベルシフト部４８０は、イネーブル信号ＥＮＢ１〜ＥＮＢ４等の信号レベルを所定の値に変換し、画像信号供給部１１０に供給する。
【００９９】
以上の如く構成されているため、プリチャージ信号生成部４９０は、プリチャージ期間Ｔｐ（ｉ）に対応するようにプリチャージ信号ＰＣＳを生成し、画像信号ＶＩＤと共に画像信号線６を介して画像信号供給部１１０に供給する。このため、プリチャージ信号生成部４９０から供給されるプリチャージ期間Ｔｐ（ｉ）に対応したプリチャージ信号ＰＣＳによって、十分にプリチャージを行うことが可能となる。従って、駆動中の各データ線３の電位を概ね適正値とすることができ、表示斑やフリッカ等として表れる表示品質の劣化を防止することが可能である。このように、上述した本実施形態の液晶装置に対して、プリチャージ期間Ｔｐ（ｉ）に対応するようにプリチャージ信号ＰＣＳを供給することができるので、高品質な画像表示を行うことが可能となる。
【０１００】
（電子機器）
次に、上述した電気光学装置である液晶装置を各種の電子機器に適用する場合について説明する。
【０１０１】
まず、この液晶装置をライトバルブとして用いたプロジェクタについて説明する。図１３は、プロジェクタの構成例を示す平面図である。この図１３に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【０１０２】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１０３】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【０１０４】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１０５】
次に、液晶装置を、モバイル型のパーソナルコンピュータに適用した例について説明する。図１４は、このパーソナルコンピュータの構成を示す斜視図である。図１４において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１０６】
さらに、液晶装置を、携帯電話に適用した例について説明する。図１５は、この携帯電話の構成を示す斜視図である。図１４において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１０７】
尚、図１３から図１５を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１０８】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ等にも適用可能である。
【０１０９】
本発明は、上述した実施形態に限られるものではなく、請求の範囲及び明細書全体から読み取れる発明の要旨或いは思想に反しない範囲で適宜変更可能であり、そのような変更を伴う電気光学装置、電気光学装置の駆動方法及び該電気光学装置を備えてなる電子機器もまた本発明の技術的範囲に含まれるものである。
【図面の簡単な説明】
【０１１０】
【図１】本発明の第１実施形態に係る液晶装置の全体構成を示す平面図である。
【図２】図１のＨ−Ｈ'の断面図である。
【図３】第１実施形態に係る液晶装置の要部の構成を示すブロック図である。
【図４】転送信号の整形に関する回路図である。
【図５】第１変形例における図４と同趣旨の回路図である。
【図６】第１実施形態に係る液晶装置におけるプリチャージの動作を示すタイミングチャートである。
【図７】比較例における図６と同趣旨のタイミングチャートである。
【図８】図４の駆動系における各種信号のタイミングチャートである。
【図９】第２変形例における図５と同趣旨の回路図である。
【図１０】第２変形例における図８と同趣旨のタイミングチャートである。
【図１１】第３変形例における図６と同趣旨のタイミングチャートである。
【図１２】第１実施形態に係る画像信号処理回路を示すブロック図である。
【図１３】電気光学装置を適用した電子機器の一例たるプロジェクタの構成を示す平面図である。
【図１４】電気光学装置を適用した電子機器の一例たるパーソナルコンピュータの構成を示す斜視図である。
【図１５】電気光学装置を適用した電子機器の一例たる携帯電話の構成を示す斜視図である。
【符号の説明】
【０１１１】
９ａ…画素電極、２…走査線、３…データ線、６…画像信号線、７…サンプリング回路、１０…ＴＦＴアレイ基板、１０ａ…画像表示領域、２０…対向基板、２１…対向電極、２３…遮光膜、５０…液晶層、５１…シフトレジスタ、５２…シール材、５３…額縁遮光膜、５５…イネーブル回路、８１…イネーブル供給線、１０１…データ線駆動回路、１０２…外部回路接続端子、１０４…走査線駆動回路、１０６…上下導通端子、１０７…上下導通材、１１０…画像信号供給回路、４１０…ラインバッファ、４２０…信号処理回路、４３０…相展開回路、４４０…画像信号生成部、４６０…タイミング信号生成部、４７０…プリチャージ信号挿入部、４８０…レベルシフト部、４９０…プリチャージ信号生成部、ＢＩ、ＶＢＩ、ＨＢＩ…帰線期間、Ｄｉ…データ線群、ＥＮＢ１〜ＥＮＢ４…イネーブル信号、ＮＲＧ…プリチャージ期間規定信号、ＰＣＳ…プリチャージ信号、ＰＣＳ（ｉ）…プリチャージ信号群、Ｓｉ…サンプリング回路駆動信号、Ｔｐ（ｉ）…プリチャージ期間、Ｔｖ（ｉ）…画像信号供給期間、ＶＧ（ｉ）…画像信号群
【図１】
2006267356.tif 000003
【図２】
2006267356.tif 000004
【図３】
2006267356.tif 000005
【図４】
2006267356.tif 000006
【図５】
2006267356.tif 000007
【図６】
2006267356.tif 000008
【図７】
2006267356.tif 000009
【図８】
2006267356.tif 000010
【図９】
2006267356.tif 000011
【図１０】
2006267356.tif 000012
【図１１】
2006267356.tif 000013
【図１２】
2006267356.tif 000014
【図１３】
2006267356.tif 000015
【図１４】
2006267356.tif 000016
【図１５】
2006267356.tif 000017